(57)【要約】【課題】  一つの画素駆動部に複数の発光素子を共通に連結して，配線および素子の数を減少させることにより，開口率および収率を向上させ，設計時のパネル空間を有効活用する。【解決手段】  本発明における表示部の各画素は，１本のデータ線Ｄ［ｍ］と，２本の選択走査線Ｓ［ｎ］，Ｓ［ｎ−１］と，第１および第２発光制御信号を伝達する第１および第２発光制御線Ｅ１［ｎ］，Ｅ２［ｎ］とに連結され，第１および第２発光素子を有する。かかる構成により，配線および素子の数を減少させ，されには，画素駆動部を安定に初期化し，複数の光素子を順次発光し得るようにすることができる。【選択図】    図６
2006072321.tif 000002
【特許請求の範囲】
【請求項１】
画像を表すデータ信号を伝達する複数のデータ線と，選択信号を伝達する複数の選択走査線と，第１および第２発光制御信号を伝達する複数の第１および第２発光制御線とがそれぞれ連結され，第１および第２発光素子をそれぞれ有する複数の画素を含む表示部と；
第１フィールドおよび第２フィールドのそれぞれにおいて，第１パルスを有する選択信号を第１期間だけシフトしながら順次出力する選択信号駆動部と；
前記第１フィールドおよび前記第２フィールドのそれぞれにおいて，前記選択信号の前記第１パルスから，前記第１パルスより幅が小さい第２パルスを有する第１信号を生成し，前記第１フィールドのうちに，前記第２パルスに対応する第３パルスと，前記第３パルスから所定期間遅延した第４パルスとを有する第１発光制御信号を，第１期間だけシフトしながら順次出力し，前記第２フィールドのうちに，前記第３パルスと，前記第３パルスから所定期間遅延した第５パルスとを有する第２発光制御信号を，前記第１期間だけシフトしながら順次出力する発光制御信号駆動部と；
を含むことを特徴とする，発光表示装置。
【請求項２】
前記第１フィールドにおいて，前記選択信号の第１パルスが印加される間，前記データ線には前記第１発光素子に対応するデータ信号が伝達され，
前記第２フィールドにおいて，前記選択信号の第１パルスが印加される間，前記データ線には前記第２発光素子に対応するデータ信号が伝達されることを特徴とする，請求項１に記載の発光表示装置。
【請求項３】
前記選択信号駆動部は，
第６パルスを有する第２信号を第１期間だけシフトしながら順次生成する第１シフトレジスタと；
前記第２信号と，前記第２信号が前記第１期間だけシフトされた信号が共通に第６パルスである期間に前記第１パルスを有する選択信号を出力する第１回路部と；
を含むことを特徴とする，請求項１に記載の発光表示装置。
【請求項４】
前記第１回路部は，イネーブル信号をさらに受信し，
前記第１パルスは，前記第２信号，前記第２信号が前記第１期間だけシフトされた信号，および，イネーブル信号が共通に第６パルスである期間であることを特徴とする，請求項３に記載の発光表示装置。
【請求項５】
前記発光制御信号駆動部は，
前記第１フィールドおよび前記第２フィールドの間に，第７パルスと前記第７パルスに対して反転されたレベルの第８パルスを交互に有する第３信号を前記第１期間だけシフトしながら順次生成して出力する第２シフトレジスタと；
前記選択信号の前記第１パルスの一部を分割して前記第１信号の前記第２パルスとして出力する第２回路部と；
前記第１信号の第２パルス，前記第３信号，および，前記第３信号が前記第１期間だけシフトされた信号を用いて前記第１および第２発光制御信号を生成して出力する第３回路部と；
を含むことを特徴とする，請求項１〜４のいずれか１項に記載の発光表示装置。
【請求項６】
前記第２回路部は，前記第１期間の２倍に相当する周期を有する第１クロック信号と前記選択信号とが共通に前記第１パルスになる期間に，前記第２パルスを出力することを特徴とする，請求項５に記載の発光表示装置。
【請求項７】
前記第１クロック信号は，前記第２シフトレジスタに入力される第２クロック信号が所定期間シフトした信号であることを特徴とする，請求項６に記載の発光表示装置。
【請求項８】
前記第３回路部は，
前記第３信号と，前記第３信号が前記第１期間だけシフトされた信号が，共に第７パルスになる期間に前記４パルスを生成し，前記第４パルスと前記第１フィールドの前記第２パルスとから前記第１発光制御信号を出力し，
前記第３信号と，前記第３信号が前記第１期間だけシフトされた信号が，共に第８パルスになる期間に前記第５パルスを生成し，前記第５パルスと前記第２フィールドの前記第３パルスとから前記第２発光制御信号を出力することを特徴とする，請求項５に記載の発光表示装置。
【請求項９】
前記第３信号の第７パルスが印加される期間は前記第１フィールドと同一の期間であることを特徴とする，請求項１に記載の発光表示装置。
【請求項１０】
前記第１および第２発光制御信号の第３パルスは，前記選択信号が前記第１期間だけシフトされる前の信号の第１パルスが印加される間に印加されることを特徴とする，請求項１に記載の発光表示装置。
【請求項１１】
前記複数の画素のそれぞれは，
前記第１選択信号の第１レベルに応じてターンオンされ，前記データ信号を伝達する第１トランジスタと；
前記第１トランジスタにより伝達された前記データ信号に対応する電圧を貯蔵する第１キャパシタと；
前記第２選択信号の第１レベルに応じて前記第１キャパシタに並列に連結される第２トランジスタと；
前記第１キャパシタに貯蔵された電圧に対応する電流を出力する第３トランジスタと；
前記第３トランジスタのスレショルド電圧に相当する電圧が貯蔵される第２キャパシタと；
前記第２選択信号の第１レベルに応じて前記第３トランジスタをダイオード形態に連結する第４トランジスタと；
前記電流に応じて第１および第２色相に発光する第１および第２発光素子と；
第１および第２発光制御信号の第２レベルに応じてターンオンされて，前記電流を選択的に前記第１および第２発光素子に伝達する第１および第２スイッチング素子と；
を含むことを特徴とする，請求項１に記載の発光表示装置。
【請求項１２】
第１選択信号および制御信号に応じて動作する複数の画素を含む発光表示装置の駆動方法において：
ａ）第１レベルの第１パルスを有する前記第１選択信号を印加する段階と；
ｂ）第２パルスと，第３パルスとを有する制御信号を印加する段階と；
を含み，
前記第２パルスは，前記第１選択信号が第１レベルである少なくとも一部の期間に第１レベルであり，前記第３パルスは，前記第１選択信号が前記第１レベルの反転レベルを有する間に第１レベルであることを特徴とする，発光表示装置の駆動方法。
【請求項１３】
前記複数の画素のそれぞれは，
前記第１選択信号の第１レベルに応じてターンオンされ，前記データ信号を伝達する第１トランジスタと；
前記第１トランジスタにより伝達された前記データ信号に対応する電圧を貯蔵する第１キャパシタと；
前記第２選択信号の第１レベルに応じて前記第１キャパシタに並列に連結される第２トランジスタと；
前記第１キャパシタに貯蔵された電圧に対応する電流を出力する第３トランジスタと；
前記第３トランジスタのスレショルド電圧に相当する電圧が貯蔵される第２キャパシタと；
前記第２選択信号の第１レベルに応じて前記第３トランジスタをダイオード形態に連結する第４トランジスタと；
前記電流に応じて第１および第２色相に発光する第１および第２発光素子と；
第１および第２発光制御信号の第２レベルに応じてターンオンされて，前記電流を選択的に前記第１および第２発光素子に伝達する第１および第２スイッチング素子と；
を含むことを特徴とする，請求項１２に記載の発光表示装置の駆動方法。
【請求項１４】
前記ａ）段階において，前記第１選択信号の第１レベルに応じて前記第２および第４トランジスタがターンオンされることを特徴とする，請求項１３に記載の発光表示装置の駆動方法。
【請求項１５】
前記ｂ）段階において，前記制御信号の第１レベルに応じて前記第１および第２スイッチング素子のいずれか一つがターンオンされることを特徴とする，請求項１３に記載の発光表示装置の駆動方法。
【請求項１６】
順次シフトされる信号を生成して出力する信号駆動装置において：
第１クロック信号および第１開始信号を用いて，第１レベルの第１パルスを有する第１信号を第１期間だけシフトしながら順次生成する第１シフトレジスタと；
前記第１信号および前記第１信号が第１期間だけシフトされた信号を用いて，第２レベルの第２パルスを有する選択信号を順次生成する第１回路部と；
第１クロック信号および第２開始信号を用いて，第１レベルの第３パルスを有する第２信号を第１期間だけシフトしながら順次生成する第２シフトレジスタと；
前記選択信号および第２クロック信号を用いて，第１レベルの第４パルスを有する第３信号を生成する第２回路部と；
前記第２信号，前記第２信号が第１期間だけシフトされた信号および前記第３信号を用いて第１制御信号を生成する第３回路部と；
を含むことを特徴とする，信号駆動装置。
【請求項１７】
前記第１回路部は，前記第１信号および前記第１信号が第１期間だけシフトされた信号が共に第１レベルである期間に第２レベルの第２パルスを有する選択信号を生成することを特徴とする，請求項１６に記載の信号駆動装置。
【請求項１８】
前記第２クロック信号は前記第１クロック信号が所定期間移動された信号であり，
前記第２回路部は，前記選択信号と前記第２クロック信号が同一なレベルの間に第４パルスを有する第３信号を生成することを特徴とする，請求項１６に記載の信号駆動装置。
【請求項１９】
前記第３回路部は，
前記第２信号と前記第３信号が共に第１レベルである区間に第１レベルを有する第４信号を生成し，前記第２信号と前記第２信号が第１期間だけシフトされた信号が共に第１レベルである区間に第１レベルを有する第５信号を生成し，
前記第４信号および前記第５信号が共に第２レベルである区間に第１レベルを有する第１制御信号を生成することを特徴とする，請求項１６に記載の信号駆動装置。
【請求項２０】
反転された前記第２信号，前記第２信号が第１期間だけシフトされた信号および前記第３信号を用いて第２制御信号を生成する第４回路部をさらに含むことを特徴とする，請求項１６に記載の信号駆動装置。
【請求項２１】
前記第４回路部は，
反転された前記第２信号と前記第３信号が共に第１レベルである区間に第１レベルを有する第６信号，および前記第２信号と前記第２信号が第１期間だけシフトされた信号が共に第２レベルである区間に第１レベルを有する第７信号を生成し，
前記第６信号および前記第７信号が共に第２レベルである区間に第１レベルを有する第１制御信号を生成することを特徴とする，請求項２０に記載の信号駆動装置。
【請求項２２】
前記第１レベルはハイレベルであり，前記第２レベルはローレベルであることを特徴とする，請求項１６〜２１のいずれか１項に記載の信号駆動装置。
【発明の詳細な説明】
【技術分野】
【０００１】
本発明は，発光表示装置に係り，特に有機物質の電界発光を用いる有機発光表示装置に関するものである。
【背景技術】
【０００２】
一般に，発光表示装置は，有機物質の電界発光を用いる表示装置であって，行列状に配列されたＮ×Ｍ個の有機発光セルを電圧駆動若しくは電流駆動して，映像を表現する。
【０００３】
かかる有機発光セルは，ダイオード特性を有するため有機発光ダイオード（Ｏｒｇａｎｉｃ Ｌｉｇｈｔ Ｅｍｉｓｓｉｏｎ Ｄｉｏｄｅ；ＯＬＥＤ）とも呼ばれるもので，アノード（ＩＴＯ），有機薄膜，カソード電極層（金属）の構造を持っている。この有機薄膜は，電子と正孔の均衡をよくして発光効率を向上させるため，発光層（ｅｍｉｔｔｉｎｇ ｌａｙｅｒ；ＥＭＬ），電子輸送層（ｅｌｅｃｔｒｏｎ ｔｒａｎｓｐｏｒｔ ｌａｙｅｒ；ＥＴＬ）および正孔輸送層（ｈｏｌｅ ｔｒａｎｓｐｏｒｔ ｌａｙｅｒ；ＨＴＬ）を含む多層構造となり，さらに別途の電子注入層（ｅｌｅｃｔｒｏｎ ｉｎｊｅｃｔｉｎｇ ｌａｙｅｒ；ＥＩＬ）と正孔注入層（ｈｏｌｅ ｉｎｊｅｃｔｉｎｇ ｌａｙｅｒ；ＨＩＬ）を含む。このような有機発光セルがＮ×Ｍ個のマトリックス状に配列されて有機発光表示パネルを形成する。
【０００４】
このように構成される有機発光セルを駆動する方式には，パッシブマトリックス（ｐａｓｓｉｖｅ ｍａｔｒｉｘ）方式と，薄膜トランジスタ（Ｔｈｉｎ Ｆｉｌｍ Ｔｒａｎｓｉｓｔｏｒ；ＴＦＴ）またはＭＯＳＦＥＴを用いるアクティブマトリックス（ａｃｔｉｖｅ ｍａｔｒｉｘ）方式とがある。パッシブマトリックス方式は，陽極と陰極を直交するように形成し，ラインを選択して駆動する方式である。これに対し，アクティブマトリックス方式は，薄膜トランジスタを各ＩＴＯ（Ｉｎｄｉｕｍ Ｔｉｎ Ｏｘｉｄｅ）画素電極に連結し，薄膜トランジスタのゲートに連結されたキャパシタ容量により維持された電圧を利用して駆動する方式である。
【０００５】
以下，一般的なアクティブ有機発光表示装置の画素回路について説明する。
【０００６】
図１は，画素回路としてＮ×Ｍ個の画素のなかで，一つ，つまり第１行と第１列に位置する画素を等価的に示すものである。
【０００７】
同図に示すように，一つの画素１０は三つの副画素１０ｒ，１０ｇ，１０ｂからなり，副画素１０ｒ，１０ｇ，１０ｂにはそれぞれ赤色（Ｒ），緑色（Ｇ），青色（Ｂ）の光を発光する有機発光素子ＯＬＥＤｒ，ＯＬＥＤｇ，ＯＬＥＤｂが設けられている。上記副画素がストライプ状に配列された構造において，副画素１０ｒ，１０ｇ，１０ｂはそれぞれ別のデータ線Ｄ１ｒ，Ｄ１ｇ，Ｄ１ｂと共通走査線Ｓ１に連結されている。
【０００８】
例えば，赤色の副画素１０ｒは，有機発光素子ＯＬＥＤｒを駆動するための二つのトランジスタＭ１ｒ，Ｍ２ｒとキャパシタＣ１ｒを含む。同様に，緑色の副画素１０ｇは，二つのトランジスタＭ１ｇ，Ｍ２ｇとキャパシタＣ１ｇを含み，青色の副画素１０ｂも二つのトランジスタＭ１ｂ，Ｍ２ｂとキャパシタＣ１ｂを含む。これら副画素１０ｒ，１０ｇ，１０ｂの動作はみんな同一であるので，以下では一つの副画素１０ｒを例として説明する。
【０００９】
ここでは，電源電圧ＶＤＤと有機発光素子ＯＬＥＤｒのアノードとの間に駆動トランジスタＭ１ｒが連結され，有機発光素子ＯＬＥＤｒのカソードは電源電圧ＶＤＤより低い電圧ＶＳＳに連結されている。かかるトランジスタＭ１ｒは発光のための電流を有機発光素子ＯＬＥＤｒに伝達する。駆動トランジスタＭ１ｒの電流量は，スイッチングトランジスタＭ２ｒを介して印加されるデータ電圧により制御される。このとき，トランジスタＭ１ｒのソースとゲート間にキャパシタＣ１ｒが連結されており，印加された電圧を一定期間維持する。トランジスタＭ２ｒのゲートにはオン／オフ形態の選択信号を伝達する走査線Ｓ１が連結され，ソース側には赤色副画素１０ｒに対応するデータ電圧を伝達するデータ線Ｄ１ｒが連結される。
【００１０】
このような画素の動作において，スイッチングトランジスタＭ２ｒがゲートに印加される選択信号に応じてターンオンされると，データ線Ｄ１ｒからのデータ電圧ＶＤＡＴＡがトランジスタＭ１ｒのゲートに印加される。すると，キャパシタＣ１ｒによりゲートとソース間に充電された電圧ＶＧＳに応じてトランジスタＭ１ｒに電流ＩＯＬＥＤが流れ，この電流ＩＯＬＥＤに応じて有機発光素子ＯＬＥＤｒが発光する。この際，有機発光素子ＯＬＥＤｒに流れる電流ＩＯＬＥＤは数式１のようである。
【数１】
2006072321.tif 000003
【００１１】
図１に示す画素回路においては，データ電圧に対応する電流が有機発光素子ＯＬＥＤｒに供給され，供給された電流に対応する輝度で有機発光素子ＯＬＥＤｒが発光する。この際，印加されるデータ電圧は，所定の明暗諧調を表現するため，一定の範囲内で多段階の値を有する。
【００１２】
前述したように，有機発光表示装置は，一つの画素１０が三つの副画素１０ｒ，１０ｇ，１０ｂからなり，副画素別に有機発光素子を駆動するための駆動トランジスタ，スイッチングトランジスタ，およびキャパシタが形成される。また，副画素別にデータ信号を伝達するためのデータ線，および電源電圧ＶＤＤを伝達するための電源線が設けられている。
【発明の開示】
【発明が解決しようとする課題】
【００１３】
上記のような有機発光表示装置では，画素を駆動するため，上述したように多くの配線が必要になる。このため，画素領域内にこれらを全部配置することは難しく，画素領域において発光する領域に相当する開口率も減少せざるを得ないといった問題点が生じる。したがって，画素を駆動するための配線および素子の数を減少することが可能な画素回路の開発が要求されている。
【００１４】
本発明は，従来の有機発光表示装置が有する上記問題点に鑑みてなされたものであり，本発明の目的は，一つの画素駆動部に複数の発光素子を共通に連結して，配線および素子の数を減少させることにより，開口率および収率を向上させ，設計時のパネル空間を有効活用することが可能な，新規かつ改良された発光表示装置を提供することである。
【００１５】
本発明の他の目的は，画素駆動部を安定に初期化した後，複数の光素子が順次発光し得るようにする信号を出力する信号駆動装置およびその信号駆動装置を含む発光表示装置を提供することにある。
【課題を解決するための手段】
【００１６】
上記課題を解決するために，本発明の第１の観点によれば，画像を表すデータ信号を伝達する複数のデータ線と，選択信号を伝達する複数の選択走査線と，第１および第２発光制御信号を伝達する複数の第１および第２発光制御線とがそれぞれ連結され，第１および第２発光素子をそれぞれ有する複数の画素を含む表示部と；第１フィールドおよび第２フィールドのそれぞれにおいて，第１パルスを有する選択信号を第１期間だけシフトしながら順次出力する選択信号駆動部と；上記第１フィールドおよび上記第２フィールドのそれぞれにおいて，上記選択信号の上記第１パルスから，上記第１パルスより幅が小さい第２パルスを有する第１信号を生成し，上記第１フィールドのうちに，上記第２パルスに対応する第３パルスと，上記第３パルスから所定期間遅延した第４パルスとを有する第１発光制御信号を，第１期間だけシフトしながら順次出力し，上記第２フィールドのうちに，上記第３パルスと，上記第３パルスから所定期間遅延した第５パルスとを有する第２発光制御信号を，上記第１期間だけシフトしながら順次出力する発光制御信号駆動部と；を含むことを特徴とする，発光表示装置が提供される。
【００１７】
上記第１フィールドにおいて，上記選択信号の第１パルスが印加される間，上記データ線には上記第１発光素子に対応するデータ信号が伝達され，上記第２フィールドにおいて，上記選択信号の第１パルスが印加される間，上記データ線には上記第２発光素子に対応するデータ信号が伝達されるとしても良い。
【００１８】
上記選択信号駆動部は，
第６パルスを有する第２信号を第１期間だけシフトしながら順次生成する第１シフトレジスタと；上記第２信号と，上記第２信号が上記第１期間だけシフトされた信号とが共通に第６パルスである期間に上記第１パルスを有する選択信号を出力する第１回路部と；を含むとしても良い。
【００１９】
上記第１回路部は，イネーブル信号をさらに受信し，上記第１パルスは，上記第２信号，上記第２信号が上記第１期間だけシフトされた信号，および，イネーブル信号が共通に第６パルスである期間であるとしても良い。
【００２０】
上記発光制御信号駆動部は，上記第１フィールドおよび上記第２フィールドの間に，第７パルスと上記第７パルスに対して反転されたレベルの第８パルスを交互に有する第３信号を上記第１期間だけシフトしながら順次生成して出力する第２シフトレジスタと；上記選択信号の上記第１パルスの一部を分割して上記第１信号の上記第２パルスとして出力する第２回路部と；上記第１信号の第２パルス，上記第３信号，および，上記第３信号が上記第１期間だけシフトされた信号を用いて上記第１および第２発光制御信号を生成して出力する第３回路部と；を含むとしても良い。
【００２１】
上記第２回路部は，上記第１期間の２倍に相当する周期を有する第１クロック信号と上記選択信号とが共通に上記第１パルスになる期間に，上記第２パルスを出力するとしても良い。
【００２２】
上記第１クロック信号は，上記第２シフトレジスタに入力される第２クロック信号が所定期間シフトした信号であるとしても良い。
【００２３】
上記第３回路部は，上記第３信号と，上記第３信号が上記第１期間だけシフトされた信号が，共に第７パルスになる期間に上記４パルスを生成し，上記第４パルスと上記第１フィールドの上記第２パルスとから上記第１発光制御信号を出力し，上記第３信号と，上記第３信号が上記第１期間だけシフトされた信号が，共に第８パルスになる期間に上記第５パルスを生成し，上記第５パルスと上記第２フィールドの上記第３パルスとから上記第２発光制御信号を出力するとしても良い。
【００２４】
上記第３信号の第７パルスが印加される期間は上記第１フィールドと同一の期間であるとしても良い。
【００２５】
上記第１および第２発光制御信号の第３パルスは，上記選択信号が上記第１期間だけシフトされる前の信号の第１パルスが印加される間に印加されるとしても良い。
【００２６】
上記複数の画素のそれぞれは，上記第１選択信号の第１レベルに応じてターンオンされ，上記データ信号を伝達する第１トランジスタと；上記第１トランジスタにより伝達された上記データ信号に対応する電圧を貯蔵する第１キャパシタと；上記第２選択信号の第１レベルに応じて上記第１キャパシタに並列に連結される第２トランジスタと；上記第１キャパシタに貯蔵された電圧に対応する電流を出力する第３トランジスタと；上記第３トランジスタのスレショルド電圧に相当する電圧が貯蔵される第２キャパシタと；上記第２選択信号の第１レベルに応じて上記第３トランジスタをダイオード形態に連結する第４トランジスタと；上記電流に応じて第１および第２色相に発光する第１および第２発光素子と；第１および第２発光制御信号の第２レベルに応じてターンオンされて，上記電流を選択的に上記第１および第２発光素子に伝達する第１および第２スイッチング素子と；を含むとしても良い。
【００２７】
上記課題を解決するために，本発明の第２の観点によれば，第１選択信号および制御信号に応じて動作する複数の画素を含む発光表示装置の駆動方法において：ａ）第１レベルの第１パルスを有する上記第１選択信号を印加する段階と；ｂ）第２パルスと，第３パルスとを有する制御信号を印加する段階と；を含み，上記第２パルスは，上記第１選択信号が第１レベルである少なくとも一部の期間に第１レベルであり，上記第３パルスは，上記第１選択信号が上記第１レベルの反転レベルを有する間に第１レベルであることを特徴とする，発光表示装置の駆動方法が提供される。
【００２８】
上記複数の画素のそれぞれは，上記第１選択信号の第１レベルに応じてターンオンされ，上記データ信号を伝達する第１トランジスタと；上記第１トランジスタにより伝達された上記データ信号に対応する電圧を貯蔵する第１キャパシタと；上記第２選択信号の第１レベルに応じて上記第１キャパシタに並列に連結される第２トランジスタと；上記第１キャパシタに貯蔵された電圧に対応する電流を出力する第３トランジスタと；上記第３トランジスタのスレショルド電圧に相当する電圧が貯蔵される第２キャパシタと；上記第２選択信号の第１レベルに応じて上記第３トランジスタをダイオード形態に連結する第４トランジスタと；上記電流に応じて第１および第２色相に発光する第１および第２発光素子と；第１および第２発光制御信号の第２レベルに応じてターンオンされて，上記電流を選択的に上記第１および第２発光素子に伝達する第１および第２スイッチング素子と；を含むとしても良い。
【００２９】
上記ａ）段階において，上記第１選択信号の第１レベルに応じて上記第２および第４トランジスタがターンオンされるとしても良い。
【００３０】
上記ｂ）段階において，上記制御信号の第１レベルに応じて上記第１および第２スイッチング素子のいずれか一つがターンオンされるとしても良い。
【００３１】
上記課題を解決するために，本発明の第３の観点によれば，順次シフトされる信号を生成して出力する信号駆動装置において：第１クロック信号および第１開始信号を用いて，第１レベルの第１パルスを有する第１信号を第１期間だけシフトしながら順次生成する第１シフトレジスタと；上記第１信号および上記第１信号が第１期間だけシフトされた信号を用いて，第２レベルの第２パルスを有する選択信号を順次生成する第１回路部と；第１クロック信号および第２開始信号を用いて，第１レベルの第３パルスを有する第２信号を第１期間だけシフトしながら順次生成する第２シフトレジスタと；上記選択信号および第２クロック信号を用いて，第１レベルの第４パルスを有する第３信号を生成する第２回路部と；上記第２信号，上記第２信号が第１期間だけシフトされた信号および上記第３信号を用いて第１制御信号を生成する第３回路部と；を含むことを特徴とする，信号駆動装置が提供される。
【００３２】
上記第１回路部は，上記第１信号および上記第１信号が第１期間だけシフトされた信号が共に第１レベルである期間に第２レベルの第２パルスを有する選択信号を生成するとしても良い。
【００３３】
上記第２クロック信号は上記第１クロック信号が所定期間移動された信号であり，上記第２回路部は，上記選択信号と上記第２クロック信号が同一なレベルの間に第４パルスを有する第３信号を生成するとしても良い。
【００３４】
上記第３回路部は，上記第２信号と上記第３信号が共に第１レベルである区間に第１レベルを有する第４信号を生成し，上記第２信号と上記第２信号が第１期間だけシフトされた信号が共に第１レベルである区間に第１レベルを有する第５信号を生成し，上記第４信号および上記第５信号が共に第２レベルである区間に第１レベルを有する第１制御信号を生成するとしても良い。
【００３５】
反転された上記第２信号，上記第２信号が第１期間だけシフトされた信号および上記第３信号を用いて第２制御信号を生成する第４回路部をさらに含むとしても良い。
【００３６】
上記第４回路部は，反転された上記第２信号と上記第３信号が共に第１レベルである区間に第１レベルを有する第６信号，および上記第２信号と上記第２信号が第１期間だけシフトされた信号が共に第２レベルである区間に第１レベルを有する第７信号を生成し，上記第６信号および上記第７信号が共に第２レベルである区間に第１レベルを有する第１制御信号を生成するとしても良い。
【００３７】
上記第１レベルはハイレベルであり，上記第２レベルはローレベルであるとしても良い。
【発明の効果】
【００３８】
以上説明したように本発明によると，発光制御線にローレベルの発光制御信号が印加されて電流が有機発光素子に供給される発光区間と独立した初期化期間を備えることにより，キャパシタをより安定かつ均一に初期化することができる。このようにして，キャパシタの初期化が画素ごとに相違し，駆動トランジスタの電圧も画層ごとに相違することにより，駆動トランジスタから出力される電流が変化するといったことを防止することができる。
【００３９】
また，本発明によると，一つのシフトレジスタのみで安定にキャパシタを初期化し得る時間を含む二つの発光制御信号を生成することができる。したがって，シフトレジスタの数を減らすことが可能となり，選択及び発光制御信号駆動部をより容易に具現することができる。さらにこの選択及び発光制御信号駆動部を構成するトランジスタの数を減らして回路面積を減少させ，トランジスタにより発生し得る不良率も減らすことが可能なので，収率を向上することができる。
【発明を実施するための最良の形態】
【００４０】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００４１】
本発明の実施形態の説明に先立ち，走査線に関する用語を定義する。現在，選択信号を伝達しようとする走査線を“現在走査線”といい，現在，選択信号が伝達される前，即ち直前に選択信号を伝達した走査線を“直前走査線”という。また，上記現在走査線の選択信号に応じて発光する画素を“現在画素”といい，直前走査線の選択信号に応じて発光する画素を“直前画素”という。
【００４２】
図２は本発明の実施形態による有機発光表示装置の構成を概略的に示す図である。
【００４３】
同図に示すように，本発明の実施形態による有機発光表示装置は，表示パネル（表示部）１００，選択及び発光制御信号駆動部２００，データ信号駆動部３００を含んで構成される。表示パネル１００は，行方向に伸びている複数の選択走査線Ｓ［ｉ］（選択信号），複数の発光制御線Ｅ１［ｉ］（第１発光制御信号），Ｅ２［１］（第２発光制御信号），列方向に伸びている複数のデータ線Ｄ［ｊ］，複数の電源線ＶＤＤ，および複数の画素Ｐｉｊを含む。ここで，“ｉ”は１からｎまでの任意の自然数，“ｊ”は１からｍまでの任意の自然数である。
【００４４】
画素１１０は，隣り合う任意の二つの選択走査線Ｓ［ｉ−１］，Ｓ［ｉ］と，隣り合う任意の二つのデータ線Ｄ［ｊ−１］，Ｄ［ｊ］とにより形成される画素領域に形成され，赤色（Ｒ）有機発光素子，緑色（Ｇ）有機発光素子，および青色（Ｂ）有機発光素子のいずれか二つの有機発光素子を含んでいる。このように構成された画素１１０は，現在選択走査線Ｓ［ｉ］，直前選択走査線Ｓ［ｉ−１］，発光制御線Ｅ１［ｉ］，Ｅ２［ｉ］，およびデータ線Ｄ［ｊ］から伝達される信号に応じて，一つのデータ線Ｄ［ｊ］から印加されたデータ信号に基づき，二つの有機発光素子が時分割的に発光するように駆動される。一つの画素１１０において，二つの有機発光素子を時分割的に発光させるため，二つの発光制御線Ｅ１［ｉ］，Ｅ２［ｉ］を含み，各発光制御線Ｅ１［ｉ］，Ｅ２［ｉ］に印加される発光走査信号は，一つの画素に含まれた二つの有機発光素子が選択的（排他的）に発光するように制御される。
【００４５】
選択及び発光制御信号駆動部２００は，当該ラインの画素にデータ信号が印加されるように，当該ラインを選択するための選択信号を順次選択走査線Ｓ［１］〜Ｓ［ｎ］に伝達し，有機発光素子ＯＬＥＤ１（第１発光素子），ＯＬＥＤ２（第２発光素子）の発光を制御するための発光制御信号を順次発光制御線Ｅ１［ｉ］，Ｅ２［ｉ］に伝達する。また，データ信号駆動部３００は，データ選択信号が印加されたラインの画素に対応するデータ信号をデータ線Ｄ［１］〜Ｄ［ｍ］に印加する。
【００４６】
そして，選択及び発光制御信号駆動部２００とデータ信号駆動部３００はそれぞれ表示パネル１００が形成された基板に電気的に連結される。これとは異なり，選択及び発光制御信号駆動部２００および／またはデータ信号駆動部３００を表示パネル１００のガラス基板上に直接装着することもでき，表示パネル１００の基板に選択走査線，データ線，およびトランジスタと同一層から形成された駆動回路で代替することもできる。そのほかに，選択及び発光制御信号駆動部２００および／またはデータ信号駆動部３００を，表示パネル１００の基板に接着され電気的に連結されるＴＣＰ（Ｔａｐｅ Ｃａｒｒｉｅｒ Ｐａｃｋａｇｅ），ＦＰＣ（Ｆｌｅｘｉｂｌｅ Ｐｒｉｎｔｅｄ Ｃｉｒｃｕｉｔ）またはＴＡＢ（Ｔａｐｅ Ａｕｔｏｍａｔｉｃ Ｂｏｎｄｉｎｇ）に，チップなどの形態として装着することもできる。
【００４７】
また，本発明の実施形態によると，一つのフレームが二つのフィールドに時分割されて駆動され，二つのフィールドにおいては，それぞれ赤色，緑色および青色のデータのいずれか二つのデータが書き込まれて発光がなされる。このため，選択及び発光制御信号駆動部２００は，フィールドごとに選択信号を順次選択走査線Ｓ［ｉ］に伝達し，一つの画素に含まれた二つの有機発光素子が当該フィールドの間に発光されるように，発光制御信号を当該発光制御線Ｅ１［ｉ］，Ｅ２［ｉ］に順次印加する。そして，データ信号駆動部３００は，フィールドごとにＲ，Ｇ，Ｂデータ信号を当該データ線Ｄ［ｊ］に印加する。
【００４８】
つぎに，図３に基づき，本発明の実施形態による画素を詳細に説明する。
【００４９】
図３は本発明の実施形態による有機発光表示装置の画素１１０を示す回路図である。図３においては，有機物質の電界発光を用いる画素を例として示し，説明の便宜上ｉ番目行の走査線Ｓ［ｉ］とｊ番目列のデータ線Ｄ［ｊ］に形成される画素領域の画素を代表的に示した（ここで，ｉは１からｎまでの整数，ｊは１からｍまでの整数）。以下の説明においては，説明の便宜上，発光制御線Ｅ１［ｉ］，Ｅ２［ｉ］に印加される発光制御信号の符号も発光制御線と同様に“Ｅ１［ｉ］，Ｅ２［ｉ］”と表示し，選択走査線Ｓ［ｉ］に印加される選択信号の符号も同様に“Ｓ［ｉ］”と表示する。画素１１０の有機発光素子ＯＬＥＤ１および有機発光素子ＯＬＥＤ２は，赤色（Ｒ）有機発光素子，緑色（Ｇ）有機発光素子および青色（Ｂ）有機発光素子のなかでいずれか二つであり，画素１１０の全てのトランジスタＭ１（第３トランジスタ），Ｍ２１（第１スイッチング素子），Ｍ２２（第２スイッチング素子），Ｍ３（第４トランジスタ），Ｍ４（第２トランジスタ），Ｍ５（第１トランジスタ）はｐチャンネルトランジスタとして示した。
【００５０】
図３に示すように，画素回路１１０は，画素駆動部１１５，二つの有機発光素子ＯＬＥＤ１，ＯＬＥＤ２，および，二つの有機発光素子ＯＬＥＤ１，ＯＬＥＤ２がそれぞれ選択的に発光するように制御するトランジスタＭ２１，Ｍ２２を含む。
【００５１】
画素駆動回路部１１５は選択走査線Ｓ［ｉ］およびデータ線Ｄ［ｊ］に連結され，データ線Ｄ［ｊ］を介して伝達されるデータ信号に応じて，有機発光素子ＯＬＥＤ１，ＯＬＥＤ２に印加される電流を生成する。この実施形態において，画素駆動回路部１１５は，四つのトランジスタおよび二つのキャパシタ，つまりトランジスタＭ１，トランジスタＭ３，トランジスタＭ４，トランジスタＭ５，第２キャパシタとしてのキャパシタＣｖｔｈ，および第１キャパシタとしてのキャパシタＣｓｔを含む。しかし，本発明による画素駆動回路部はこのような四つのトランジスタおよび二つのキャパシタに限定されるものでなく，有機発光素子ＯＬＥＤ１，ＯＬＥＤ２に印加される電流を生成する回路であれば十分である。
【００５２】
具体的に，トランジスタＭ５は，ゲートが現在選択走査線Ｓ［ｉ］に連結され，ソースがデータ線Ｄ［ｊ］に連結されて，選択走査線Ｓ［ｉ］からの選択信号に応答して，データ線Ｄ［ｊ］から印加されたデータ電圧をキャパシタＣｖｔｈのノードＢに伝達する。トランジスタＭ４は，ゲートが現在選択走査線Ｓ［ｉ−１］に連結され，直前選択走査線Ｓ［ｉ−１］からの選択信号に応答して，キャパシタＣｖｔｈのノードＢを電源ＶＤＤに直接連結する。トランジスタＭ３は，直前走査線Ｓ［ｉ−１］からの選択信号に応答して，トランジスタＭ１をダイオード連結させる。駆動トランジスタＭ１は有機発光素子ＯＬＥＤ１，ＯＬＥＤ２を駆動するための駆動トランジスタであって，ゲートがキャパシタＣｖｔｈのノードＡに接続され，ソースが電源ＶＤＤに接続され，ゲートに印加される電圧に応じて，有機発光素子ＯＬＥＤ１，ＯＬＥＤ２に印加される電流を出力する。
【００５３】
また，キャパシタＣｓｔは，一方の電極が電源ＶＤＤに接続され，他方の電極がトランジスタＭ４のドレイン電極であるノードＢに接続され，キャパシタＣｖｔｈは，一方の電極がキャパシタＣｓｔの上記他方の電極に連結されることにより，二つのキャパシタが直列に連結され，他方の電極が駆動トランジスタＭ１のゲートノードＡに連結される。
【００５４】
そして，駆動トランジスタＭ１のドレインには，有機発光素子ＯＬＥＤ１，ＯＬＥＤ２が選択的に発光するように制御するトランジスタＭ２１，Ｍ２２のソースがそれぞれ連結され，トランジスタＭ２１，Ｍ２２のゲートにはそれぞれ発光制御線Ｅ１［ｉ］，Ｅ２［ｉ］が連結される。トランジスタＭ２１，Ｍ２２のドレインにはそれぞれ有機発光素子ＯＬＥＤ１，ＯＬＥＤ２のアノードが連結され，有機発光素子ＯＬＥＤ１，ＯＬＥＤ２のカソードには，電源電圧ＶＤＤより低い電源電圧ＶＳＳが印加される。このような電源電圧ＶＳＳとしては，負の電圧または接地電圧が使用可能である。
【００５５】
つぎに，図４および図５に基づき，本発明の実施形態による有機発光表示装置の駆動方法を詳細に説明する。図４は，本発明の実施形態による有機発光表示装置の信号タイミング図，図５は，選択信号Ｓ［０］，Ｓ［１］および発光制御信号Ｅ［１］のみを拡大して示す信号タイミング図である。
【００５６】
以下においては，説明の便宜上，選択走査線Ｓ［ｉ］に印加される選択信号を選択走査線と同様に，Ｓ［ｉ］で表示し，発光制御線Ｅ１［ｉ］，Ｅ２［ｉ］に印加される発光制御信号をそれぞれ発光制御線と同様に，Ｅ１［ｉ］，Ｅ２［ｉ］で表示した（ここで，ｉは１からｎまでの整数）。そして，ｊ番目データ線Ｄ［ｊ］に印加されるデータ電圧もＤ［ｊ］で表示した（ここで，ｊは１からｍまでの整数）。
【００５７】
図４に示すように，本発明の実施形態による有機発光表示装置は，一フレームが二つのフィールド１Ｆ，２Ｆに分割されて駆動され，各フィールド１Ｆ，２Ｆにおいて選択信号Ｓ［０］〜Ｓ［ｎ］が順次印加される。駆動回路部１１５を共有する二つの有機発光素子ＯＬＥＤ１，ＯＬＥＤ２は，それぞれ一フィールドに相当する期間の間に発光する。そして，フィールド１Ｆ，２Ｆは行毎に独立して定義され，図４では，１番目行の選択走査線Ｓ［１］を基準として二つのフィールド１Ｆ，２Ｆを示した。
【００５８】
第１フィールド１Ｆにおいて，直前選択走査線Ｓ［０］にローレベルの選択信号が印加される間，トランジスタＭ３およびトランジスタＭ４がターンオンされる。トランジスタＭ３がターンオンされ，トランジスタＭ１はダイオード連結状態となる。したがって，トランジスタＭ１のゲートとソース間の電圧差は，トランジスタＭ１のスレショルド電圧であるＶｔｈとなるまで変化する。この際，トランジスタＭ１のソースが電源ＶＤＤに連結されているので，トランジスタＭ１のゲート，つまりキャパシタＣｖｔｈのノードＡに印加される電圧は電源電圧ＶＤＤとスレショルド電圧Ｖｔｈの和となる。また，トランジスタＭ４がターンオンされて，キャパシタＣｖｔｈのノードＢには電源ＶＤＤが印加され，キャパシタＣｖｔｈに充電される電圧ＶＣｖｔｈは数式２のようになる。
【数２】
2006072321.tif 000004
ここで，ＶＣｖｔｈはキャパシタＣｖｔｈに充電される電圧を意味し，ＶＣｖｔｈＡはキャパシタＣｖｔｈのノードＡに印加される電圧，ＶＣｖｔｈＢはキャパシタＣｖｔｈのノードＢに印加される電圧を意味する。
【００５９】
図５に示すように，直前選択走査線Ｓ［０］にローレベルの選択信号が印加されるうち，所定時間ｔｄの間，ローレベルの発光制御信号Ｅ１［１］が印加される（初期化パルス）。すなわち，所定時間ｔｄの間には，トランジスタＭ３がターンオンされてトランジスタＭ１がダイオード連結されるとともに，トランジスタＭ２１は，ローレベルの発光制御信号Ｅ１［１］がゲートに印加されてターンオンされる。トランジスタＭ３およびトランジスタＭ２１がターンオンされることにより，トランジスタＭ１のゲート，つまりキャパシタＣｖｔｈの一端（ノードＡ）からトランジスタＭ３を介して有機発光素子ＯＬＥＤ１のカソードＶＳＳまで初期化電流パスが形成される。この初期化電流パスにより，キャパシタＣｖｔｈの一端ノードＡはＶＳＳ−Ｖｔｈに初期化される。所定時間ｔｄが経過した後，発光制御信号Ｅ１［１］がハイレベルとなってトランジスタＭ２１がターンオフされるので，トランジスタＭ１からの電流が有機発光素子ＯＬＥＤ１に流れることが防止される。
【００６０】
キャパシタＣｖｔｈの初期化が画素ごとに異なる場合，画素ごとのトランジスタＭ１のゲート−ソース電圧Ｖｇｓも異なることになるので，トランジスタＭ１から出力される電流ＩＯＬＥＤが変わることになる。しかし，本発明の実施形態においては，発光制御線Ｅ１［１］にローレベルの発光制御信号が印加されて，有機発光素子ＯＬＥＤ１に電流ＩＯＬＥＤが供給される発光区間とは別途に初期化期間ｔｄを備えることで，キャパシタＣｖｔｈをより安定的にかつ均一に初期化することができる。
【００６１】
次いで，所定のブランキング期間ｔｂの間に，ハイレベルの直前選択信号Ｓ［０］およびハイレベルの現在選択信号Ｓ［１］がそれぞれ印加される。このようなブランキング期間ｔｂを備えることで，選択信号の伝達遅延による誤動作を防止することができる。
【００６２】
ブランキング期間ｔｂの後，現在選択走査線Ｓ［１］にローレベルの選択信号が印加される。ローレベルの現在選択信号Ｓ［１］によりトランジスタＭ５がターンオンされて，データ線Ｄ１から印加されたデータ電圧ＶｄａｔａがノードＢに印加される。また，キャパシタＣｖｔｈにはトランジスタＭ１のスレショルド電圧Ｖｔｈに相当する電圧が充電されているので，トランジスタＭ１のゲートには，データ電圧ＶｄａｔａとトランジスタＭ１のスレショルド電圧Ｖｔｈの和に相当する電圧が印加される。すなわち，トランジスタＭ１のゲート−ソース間電圧Ｖｇｓはつぎの数式３のようである。
【数３】
2006072321.tif 000005
【００６３】
また，図５に示すように，現在選択走査線Ｓ［１］にローレベルの選択信号が印加されるとき，発光制御線Ｅ１［１］にローレベルの発光制御信号が印加されトランジスタＭ２１がオンされ，トランジスタＭ１のゲート−ソース電圧ＶＧＳに対応する電流ＩＯＬＥＤが有機発光素子ＯＬＥＤ１に供給されるので，有機発光素子ＯＬＥＤ１が発光する。この際，電流ＩＯＬＥＤは数式４のようである。
【数４】
2006072321.tif 000006
ここで，ＩＯＬＥＤは有機発光素子ＯＬＥＤ１に流れる電流，ＶｇｓはトランジスタＭ１のソースとゲート間の電圧，ＶｔｈはトランジスタＭ１のスレショルド電圧，Ｖｄａｔａはデータ電圧，βは定数を示す。
【００６４】
また，第２フィールド２Ｆにおいて，直前選択走査線Ｓ［０］にローレベルの選択信号が印加されるうち，第１フィールド１Ｆと同様に，キャパシタＣｖｔｈに電圧ＶＣｖｔｈが充電される。その後，現在選択走査線Ｓ［１］にローレベルの選択信号が印加されるうち，トランジスタＭ５がターンオンされ，データ線Ｄ１から印加されたデータ電圧ＶｄａｔａがノードＢに印加される。
【００６５】
直前選択走査線Ｓ［０］にローレベルの選択信号が印加される間の所定時間ｔｄの間に，ローレベルの発光制御信号Ｅ２［１］が印加される。すなわち，所定時間ｔｄの間には，トランジスタＭ３がターンオンされてトランジスタＭ１がダイオード連結されるとともに，トランジスタＭ２２は，ローレベルの発光制御信号Ｅ２［１］がゲートに印加されてターンオンされる。トランジスタＭ３およびトランジスタＭ２２がターンオンされることにより，トランジスタＭ１のゲート，すなわちキャパシタＣｖｔｈの一端（ノードＡ）からトランジスタＭ３を介して有機発光素子ＯＬＥＤ２のカソードＶＳＳまで初期化電流パスが形成される。この初期化電流パスにより，キャパシタＣｖｔｈの一端（ノードＡ）はＶＳＳ−Ｖｔｈに初期化される。所定時間ｔｄが経過した後，発光制御信号Ｅ２［１］はハイレベルとなり，トランジスタＭ２２がターンオフされることにより，トランジスタＭ１からの電流が有機発光素子ＯＬＥＤ２に流れることが防止される。
【００６６】
第２フィールド２Ｆにおいても，発光制御線Ｅ２［１］にローレベルの発光制御信号が印加されて，有機発光素子ＯＬＥＤ２に電流ＩＯＬＥＤが供給される発光区間とは別に初期化期間ｔｄを備えることにより，キャパシタＣｖｔｈをより安定的にかつ均一に初期化することができる。
【００６７】
現在選択走査線Ｓ［１］にローレベルの信号が印加されるときから，発光制御線Ｅ２［１］にローレベルの発光制御信号が印加され，トランジスタＭ２２がオンされ，トランジスタＭ１のゲート−ソース電圧ＶＧＳに対応する電流ＩＯＬＥＤが有機発光素子ＯＬＥＤ２に供給されるので，有機発光素子ＯＬＥＤ２が発光することになる。
【００６８】
このように，第１フィールド１Ｆにおいて，発光制御信号Ｅ１［１］がローレベル，発光制御信号Ｅ２［１］が第１フィールの１Ｆの間ずっとハイレベルとなって，第１行の有機発光素子ＯＬＥＤ１が発光する。一方，第２フィールド２Ｆにおいては，発光制御信号Ｅ２［１］がローレベル，発光制御信号Ｅ１［１］が第２フィールド２Ｆの間ずっとハイレベルとなって，第１行の有機発光素子ＯＬＥＤ２が発光する。
【００６９】
以下では，本発明の実施形態による有機発光表示装置において，選択信号Ｓ［ｉ］および発光制御信号Ｅ１［ｉ］，Ｅ２［ｉ］を生成する選択および発光走査駆動部２００を図６〜図１４に基づいて詳細に説明する。
【００７０】
図６は本発明の実施形態による有機発光表示装置の選択及び発光制御信号駆動部２００の構成を示す概略図である。
【００７１】
選択及び発光制御信号駆動部２００は，選択信号部２１０および発光制御信号部２２０を含む。
【００７２】
選択信号部２１０は，開始信号ＳＰ，イネーブル信号ＥＮＢおよびクロック信号ＣＬＫを受信して選択信号Ｓ［ｉ］を生成する。発光制御信号部２２０は，開始信号ＬＳＰ，クロック信号ＣＬＫ，第１クロック信号としてのクロック信号ＳＣＬＫおよび選択信号Ｓ［ｉ］を受信して発光制御信号Ｅ１［ｉ］，Ｅ２［ｉ］を生成する。
【００７３】
図７は選択信号部２１０の構成をより具体的に示す図，図８は選択信号部２１０から出力される信号のタイミング図である。
【００７４】
選択信号部２１０は，複数の第１シフトレジスタとしてのシフトレジスタ２１１０〜２１１ｎおよび複数の第１回路部としてのＮＡＮＤゲート２１３０〜２１３ｎを含む。図７には，図面の簡略化のため，シフトレジスタ２１１０〜２１１ｎおよびＮＡＮＤゲート２１３０〜２１３ｎを全て示さなく，シフトレジスタ２１１０〜２１１２およびＮＡＮＤゲート２１３０〜２１３２のみを例示的に示した。また，図７にはクロック信号ＣＬＫのみを示したが，シフトレジスタ２１１０〜２１１ｎに入力されるクロック信号はクロック信号ＣＬＫおよびクロック信号の反転信号（／ＣＬＫ）を含む。
【００７５】
まず，シフトレジスタ２１１０は，開始信号ＳＰおよびクロック信号ＣＬＫを受信し，クロック信号ＣＬＫがハイレベルからローレベルに変化するとき開始信号ＳＰをラッチし，その他の期間（ローレベル，ローレベルからハイレベル，ハイレベル）では，ラッチした開始信号ＳＰのレベルを維持する。このようにして信号ＳＲ［０］を生成する。そして，シフトレジスタ２１１１は信号ＳＲ［０］およびクロック信号ＣＬＫを受信し，クロック信号ＣＬＫがローレベルからハイレベルに変化するとき信号ＳＲ［０］をラッチし，クロック信号ＣＬＫがハイレベル，ハイレベルからローレベル，ローレベルの間，ラッチした開始信号ＳＰのレベルを維持する。このようにして信号ＳＲ［１］を生成する。こうして，シフトレジスタ２１１０〜２１１ｎのそれぞれは，図８のように，第２信号としての信号ＳＲ［０］〜ＳＲ［ｎ］をそれぞれ生成する。
【００７６】
ＮＡＮＤゲート２１３０は，信号ＳＲ［０］，信号ＳＲ［１］およびイネーブル信号ＥＮＢを受信し，三つの信号がみんなハイレベルである区間にローレベルを有する選択信号Ｓ［０］を生成する。ＮＡＮＤゲート２１３１は，信号ＳＲ［１］，信号ＳＲ［２］およびイネーブル信号ＥＮＢを受信して，図８のように，選択信号Ｓ［０］がハイレベルとなった後，ブランキング時間ｔｂが経過した後，ローレベルを有する選択信号Ｓ［１］を生成する。こうして，ＮＡＮＤゲート２１３０〜２１３ｎのそれぞれは，図８に示すように，所定時間のブランキング時間ｔｂを有する選択信号Ｓ［０］〜Ｓ［ｎ］を順次生成する。
【００７７】
図９は選択信号部２１０に入力されるクロック信号ＣＬＫ，開始信号ＳＰ，イネーブル信号ＥＮＢの関係を示す図である。
【００７８】
同図に示すように，選択信号部２１０に入力されるクロック信号ＣＬＫの半周期を“Ｔ１”とすると，開始信号ＳＰはクロック寝具ＣＬＫの半周期Ｔ１の２倍となる反周期を有する。これに対し，イネーブル信号ＥＮＢは，クロック信号ＣＬＫの立上がりまたは立下がり区間で所定時間ｔｂの間にローレベルを有する信号である。
【００７９】
次に，図１０〜図１４に基づき，本発明の実施形態による発光制御信号Ｅ１［ｉ］，Ｅ２［ｉ］を生成する発光制御信号部２２０について詳細に説明する。
【００８０】
図１０は発光制御信号部２２０の構成を示す概略図である。
【００８１】
発光制御信号部２２０は，複数の第２シフトレジスタとしてのシフトレジスタ２２１１〜２２１ｎ，複数の第３回路部としての論理回路部２２３１〜２２３ｎおよび複数の第２回路部としてのＮＯＲゲート２２５１〜２２５ｎを含む。
【００８２】
図１０にも，図面の簡略化のため，シフトレジスタ２２１１〜２２１ｎ，論理回路部２２３１〜２２３ｎおよびＮＯＲゲート２２５１〜２２５ｎを全部示さなく，シフトレジスタ２１１１〜２１１３，論理回路部２２３１〜２２３２およびＮＯＲゲート２２５１〜２２５３のみを例示的に示した。また，図１０にはクロック信号ＣＬＫのみを示したが，シフトレジスタ２２１１〜２２１ｎに入力されるクロック信号はクロック信号ＣＬＫおよびクロック信号の反転信号（／ＣＬＫ）を含む。
【００８３】
シフトレジスタ２２１１は開始信号ＬＳＰおよびクロック信号ＣＬＫを受信して信号ＥＲ［１］を生成し，シフトレジスタ２２１２はシフトレジスタ２２１１の出力信号およびクロック信号ＣＬＫを受信して信号ＥＲ［２］を生成する。ここでＥＲ［ｉ］は第３信号を示す。
【００８４】
ＮＯＲゲート２２５１は，選択信号部２１０から出力された選択信号Ｓ［０］およびクロック信号ＳＣＬＫを受信して，第１信号としての信号ＣＳ［１］を出力する。ＮＯＲゲート２２５２は選択信号部２１０から出力された選択信号Ｓ［１］および反転クロック信号（／ＳＣＬＫ）を受信して信号ＣＳ［２］を出力する。
【００８５】
論理回路部２２３１は，シフトレジスタ２２１１から出力される信号ＥＲ［１］，シフトレジスタ２２１２から出力される信号ＥＲ［２］およびＮＯＲゲート２２５１から出力される信号ＣＳ［１］を受信して発光制御信号Ｅ１［１］，Ｅ２［１］を出力する。論理回路部２２３２は，シフトレジスタ２２１２から出力される信号ＥＲ［２］，シフトレジスタ２２１３から出力される信号ＥＲ［３］，およびＮＯＲゲート２２５２から出力される信号ＣＳ［２］を受信して発光制御信号Ｅ１［２］，Ｅ２［２］を出力する。
【００８６】
つぎに，図１１に基づき，シフトレジスタ２２１１〜２２１３の入力信号および出力信号について詳細に説明する。図１１はシフトレジスタ２２１１〜２２１３の入力信号および出力信号の波形を示す信号タイミング図である。
【００８７】
シフトレジスタ２２１１は，開始信号ＬＳＰおよびクロック信号ＣＬＫを受信して開始信号ＬＳＰを出力し，第１フィールドの間に維持して信号ＥＲ［１］を生成する。また，シフトレジスタ２２１２は，シフトレジスタ２２１１の出力信号およびクロック信号ＣＬＫを受信し，クロック信号ＣＬＫがハイレベルであるとき，ハイレベルの信号ＥＲ［１］を出力し，第１フィールドの間に維持して信号ＥＲ［２］を生成する。こうして，順次シフトされる信号ＥＲ［ｉ］が生成される。
【００８８】
つぎに，図１２に基づき，ＮＯＲゲート２２５１〜２２５３の入力信号および出力信号について詳細に説明する。図１２はＮＯＲゲート２２５１〜２２５３の入力信号および出力信号の波形を示す信号タイミング図である。
【００８９】
ＮＯＲゲート２２５１は，選択信号部２１０から出力された選択信号Ｓ［０］およびクロック信号ＣＬＫの半周期の１／４の分，つまり１／４Ｔだけ遅延したクロック信号ＳＣＬＫを受信し，二つの入力信号がローレベルである間に，ハイレベルを有する信号ＣＳ［１］を出力する。ＮＯＲゲート２２５２は，選択信号部２１０から出力された選択信号Ｓ［１］および反転クロック信号（／ＣＬＫ）を受信し，二つの入力信号がローレベルである間に，ハイレベルを有する信号ＣＳ［２］を出力する。こうして，順次シフトされる信号ＣＳ［ｉ］が生成される。
【００９０】
つぎに，図１３に基づき，論理回路部２２３１〜２２３３の入力信号および出力信号について詳細に説明する。図１３は論理回路部２２３１〜２２３３の入力信号および出力信号の波形を示す信号タイミング図である。
【００９１】
論理回路部２２３１は，シフトレジスタ２２１１から出力される信号ＥＲ［１］，シフトレジスタ２２１２から出力される信号ＥＲ［２］およびＮＯＲゲート２２５１から出力される信号ＣＳ［１］を受信して発光制御信号Ｅ１［１］，Ｅ２［１］を出力する。論理回路部２２３２は，シフトレジスタ２２１２から出力される信号ＥＲ［２］，シフトレジスタ２２１３から出力される信号ＥＲ［３］およびＮＯＲゲート２２５２から出力される信号ＣＳ［２］を受信して発光制御信号Ｅ１［２］，Ｅ２［２］を出力する。
【００９２】
図１４に基づき，論理回路部２２３１により発光制御信号Ｅ１［１］，Ｅ２［１］が生成される過程をより具体的に説明する。論理回路部２２３１は，三つのＮＡＮＤゲート，三つのＮＯＲゲートおよび四つのインバータから具現できる。しかし，論理回路部２２３１はこれに限定されるものではなく，例えばＮＡＮＤゲートとインバータが結合された形態を等価論理回路であるＡＮＤゲートから具現することもできる。
まず，発光制御信号Ｅ１［１］が生成される過程を説明する。
【００９３】
図１３において，論理回路部２２３１内の信号Ａは，ＮＯＲゲート２２５１の出力信号ＣＳ［１］とシフトレジスタ２２１１の出力信号ＥＲ［１］の論理積（ＡＮＤ）により生成される。すなわち，図１３において，信号ＣＳ［１］と信号ＥＲ［１］が共にハイレベルである間にだけハイレベルとなる信号Ａが図１４のように生成される。そして，信号Ｃは，シフトレジスタ２２１１の出力信号ＥＲ［１］とシフトレジスタ２２１２の出力信号ＥＲ［２］の論理積（ＡＮＤ）により生成される。すなわち，図１３において，信号ＥＲ［１］と信号ＥＲ［２］が共にハイレベルである間にだけハイレベルとなる信号Ｃが図１４のように生成される。この二つの信号Ａ，ＣのＮＯＲ演算により発光制御信号Ｅ１［１］が図１４のように生成される。
【００９４】
つぎに，発光制御信号Ｅ２［１］が生成される過程を説明する。
【００９５】
図１３において，論理回路部２２３１内の信号ＢはＮＯＲゲート２２５１の出力信号ＣＳ［１］とシフトレジスタ２２１１の出力信号ＥＲ［１］の反転信号／ＥＲ［０］の論理積（ＡＮＤ）により生成される。したがって，信号ＣＳ［１］と信号（／ＥＲ［０］）が共にハイレベルである間にだけハイレベルとなる信号Ｂが図１４のように生成される。そして，信号Ｄは，シフトレジスタ２２１１の出力信号ＥＲ［１］とシフトレジスタ２２１２の出力信号ＥＲ［２］のＮＯＲ演算により生成される。したがって，図１３において，信号ＥＲ［１］と信号ＥＲ［２］が共にローレベルである間にだけハイレベルとなる信号Ｄが図１４のように生成される。この二つの信号Ｂ，ＤのＮＯＲ演算により発光制御信号Ｅ２［１］が図１４のように生成される。
【００９６】
このように，本発明の実施形態によると，一つのシフトレジスタのみで安定的にキャパシタを初期化し得る時間ｔｄを含む二つの発光制御信号を生成することができる。したがって，シフトレジスタの数を減らすことが可能なので，選択及び発光制御信号駆動部をより容易に具現することができ，さらにこの選択及び発光制御信号駆動部を構成するトランジスタの数を減らして回路面積を減少させ，トランジスタにより発生し得る不良率も減らすことが可能なので，収率が向上できる。
【００９７】
以上の本発明の実施形態においては，一つの画素回路が二つの発光素子を含み，五つのトランジスタと二つのキャパシタを含む場合を例として説明したが，本発明はこれに限定されず，発光素子に印加する電流を出力する駆動トランジスタ，駆動トランジスタと発光素子間に電気的に連結された発光走査トランジスタを含む画素回路に適用することができる。また，本発明は，発光表示装置のほかにも，一つのシフトレジスタから生成された信号に応じて二つの信号を生成する装置にも適用することもできる。すなわち，本発明の権利範囲は上記実施形態の構造に限定されるものではなく，請求範囲で定義している本発明の基本概念を用いる当業者のいろいろの変形および改良形態も本発明の権利範囲に属するものである。
【産業上の利用可能性】
【００９８】
本発明は，本発明は，発光表示装置に係り，特に有機物質の電界発光を用いる有機発光表示装置に適用可能である。
【図面の簡単な説明】
【００９９】
【図１】従来の発光表示パネルの画素回路を示す図である。
【図２】本発明の実施形態による有機発光表示装置の構成を示す概略図である。
【図３】本発明の実施形態による有機発光表示装置の画素を示す回路図である。
【図４】本発明の実施形態による有機発光表示装置の信号タイミング図である。
【図５】選択信号および発光制御信号のみを拡大して示す信号タイミング図である。
【図６】本発明の実施形態による有機発光表示装置の選択及び発光制御信号駆動部の構成を示す概略図である。
【図７】選択信号部の構成をより具体的に示す図である。
【図８】選択信号部から出力される信号のタイミング図である。
【図９】選択信号部に入力されるクロック信号，開始信号，イネーブル信号の関係を示す図である。
【図１０】発光制御信号部の構成を示す概略図である。
【図１１】シフトレジスタの入力信号および出力信号の波形を示す信号タイミング図である。
【図１２】ＮＯＲゲートの入力信号および出力信号の波形を示す信号タイミング図である。
【図１３】論理回路部の入力信号および出力信号の波形を示す信号タイミング図である。
【図１４】論理回路部により発光制御信号が生成される過程を具体的に示す図である。
【符号の説明】
【０１００】
１００    表示パネル
１１０    画素
１１５    画素駆動回路部
２００    選択及び発光制御信号駆動部
２１０    選択信号部
２１１    シフトレジスタ
２１３    ＮＡＮＤゲート
２２０    発光制御信号部
２２１    シフトレジスタ
２２３    論理回路部
２２５    ＮＯＲゲート
３００    データ信号駆動部
【図１】
2006072321.tif 000007
【図２】
2006072321.tif 000008
【図３】
2006072321.tif 000009
【図４】
2006072321.tif 000010
【図５】
2006072321.tif 000011
【図６】
2006072321.tif 000012
【図７】
2006072321.tif 000013
【図８】
2006072321.tif 000014
【図９】
2006072321.tif 000015
【図１０】
2006072321.tif 000016
【図１１】
2006072321.tif 000017
【図１２】
2006072321.tif 000018
【図１３】
2006072321.tif 000019
【図１４】
2006072321.tif 000020